(57)【要約】【課題】工業用水システム内の堆積物（例えば、９９）の監視および分析のためのシステムおよび方法を提供する。【解決手段】この方法は、基材が工業用水システム内の工業用水に接触して基材（例えば、１０５）上に堆積物（例えば、９９）を形成する間に基材（例えば、１０５）を加熱（例えば、加熱要素１０３を介して）することを含む。基材が工業用水システム内の工業用水に接触している間に基材の一連のデジタル画像が作成（例えば、カメラ１１１を介して）される。基材の一連のデジタル画像内の関心領域が定義される。基材の一連のデジタル画像内の関心領域内の堆積物特徴が識別され得る。基材の一連のデジタル画像内の関心領域内の堆積物特徴が、工業用水システム内の基材の堆積傾向を決定するために分析され得る。【選択図】図１
2019526787.tif 000002
【特許請求の範囲】
【請求項１】
工業用水システム内の工業用水に接触する基材上の堆積物を分析する方法であって、
前記基材が前記工業用水システム内の前記工業用水に接触している間に前記基材のデジタル画像を作成することと、
前記基材の前記デジタル画像内の関心領域を定義することと、
前記基材の前記デジタル画像内の前記関心領域内の堆積物特徴を識別することと、
前記基材の前記デジタル画像内の前記関心領域内の前記堆積物特徴を分析することと、を含む、方法。
【請求項２】
工業用水システム内の工業用水に接触する基材上の堆積物を分析する方法であって、
前記基材が前記工業用水システム内の前記工業用水に接触している間に前記基材上に堆積物を形成するために前記基材を加熱することと、
前記基材が前記工業用水システム内の前記工業用水に接触している間に前記基材の一連のデジタル画像を作成することと、
前記基材の前記一連のデジタル画像内の関心領域を定義することと、
前記基材の前記一連のデジタル画像内の前記関心領域内の堆積物特徴を識別することと、
前記工業用水システム内の前記基材の堆積傾向を決定するように前記基材の前記一連のデジタル画像内の前記関心領域内の前記堆積物特徴を分析することと、を含む、方法。
【請求項３】
堆積防止剤で前記工業用水システム内の前記工業用水を処理することをさらに含む、請求項１または２に記載の方法。
【請求項４】
前記基材の前記デジタル画像またはその一連のデジタル画像の前記関心領域内の前記堆積物特徴の前記分析に基づいて措置をとることをさらに含む、請求項１〜３のいずれか１項に記載の方法。
【請求項５】
前記基材の熱伝達抵抗を決定することをさらに含む、請求項１〜４のいずれか１項に記載の方法。
【請求項６】
ｐＨ、伝導率、酸化還元電位、直線偏極抵抗、それらの派生項目、およびそれらの組み合わせから選択される前記工業用水システム内の前記工業用水のパラメータを測定することをさらに含む、請求項１〜５のいずれか１項に記載の方法。
【請求項７】
複数の点で温度を測定して前記基材の熱伝達抵抗を決定することをさらに含む、請求項１〜６のいずれか１項に記載の方法。
【請求項８】
前記堆積物が、カルシウム含有物質を含む、請求項１〜７のいずれか１項に記載の方法。
【請求項９】
カルシウム含有物質が、炭酸カルシウムである、請求項８に記載の方法。
【請求項１０】
前記堆積物が、鉄含有物質を含む、請求項１〜９のいずれか１項に記載の方法。
【請求項１１】
前記鉄含有物質が、酸化第２鉄である、請求項１０に記載の方法。
【請求項１２】
前記デジタル画像またはその一連のデジタル画像が、マルチスペクトルデジタル画像またはその一連のマルチスペクトルデジタル画像である、請求項１〜１１のいずれか１項に記載の方法。
【請求項１３】
前記工業用水システム内の堆積物を制御するように措置をとることをさらに含む、請求項１〜１２のいずれか１項に記載の方法。
【請求項１４】
前記工業用水システム内の堆積物を制御するように措置をとることが、堆積防止剤の投与を増加すること、異なる堆積防止剤を選択すること、堆積防止剤を修正すること、前記工業用水システムの物理的特性を変更すること、前記工業用水システムをシャットダウンすること、およびそれらの組み合わせから選択される、請求項１３に記載の方法。
【請求項１５】
前記デジタル画像またはその一連のデジタル画像の前記関心領域の前記堆積物特徴を分析することが、前記関心領域またはその副領域の色に従って前記基材上の堆積物を分類することを含む、請求項１〜１４のいずれか１項に記載の方法。
【請求項１６】
第２の関心領域をデジタル撮像に曝露するように前記工業用水システム内で前記基材を移動することと、前記方法のステップを繰り返すことと、を含む、請求項１〜１５のいずれか１項に記載の方法。
【請求項１７】
前記基材が、水晶マイクロバランスである、請求項１〜１６のいずれか１項に記載の方法。
【請求項１８】
工業用水システム内の堆積物を監視するシステムであって、
光アクセスを有する流体流路と、
前記流体流路内に存在する工業用水に接触するように構成された加熱された基材と、
前記流体流路内に位置するとき、前記基材のデジタル画像を捕捉するように構成されたカメラと、
前記加熱された基材を横切る温度勾配を測定するように構成された複数の温度センサと、を備える、システム。
【請求項１９】
前記加熱された基材に向かって前記流体流路の前記光アクセスを介して光を照射するように構成された光源をさらに備える、請求項１８に記載のシステム。
【請求項２０】
前記工業用水に接触していない前記加熱された基材の一部を絶縁する絶縁体をさらに備える、請求項１８または１９に記載のシステム。
【請求項２１】
前記加熱された基材を加熱するように構成された抵抗ヒータをさらに備える、請求項１８〜２０のいずれか１項に記載のシステム。
【請求項２２】
前記抵抗ヒータが、セラミックヒータである、請求項２１に記載のシステム。
【請求項２３】
前記カメラが、マルチスペクトル撮像装置である、請求項１８〜２２のいずれか１項に記載のシステム。
【請求項２４】
基材の熱伝達抵抗の傾向を決定するためのデジタル撮像の使用。
【発明の詳細な説明】
【技術分野】
【０００１】
本出願は、２０１６年７月１９日に出願された米国仮特許出願第６２／３６４，１３８号の利益を主張する国際（すなわちＰＣＴ）出願であり、その開示はその全体が参照により本明細書に組み込まれる。
【背景技術】
【０００２】
水システム、特に工業用水システム（例えば、冷却水システムおよび加熱水システム）において、堆積物のない熱交換表面を維持することは、エネルギー効率を最適化するために重要である。鉱物堆積物、特にカルシウム塩、より具体的には炭酸カルシウムは、スケーリングまたはファウリングの形態であり得る。一般に、スケーリングは、機器表面上の無機塩の沈殿であり、ファウリングは、液体中に懸濁した不溶性粒子の堆積物からもたらされる。熱交換面上堆積物（鉱物または他のもの）を最小化または防止するための工業用水システムの監視は、工業用水システムの運転および／または処理プログラムの効率を向上させ、または少なくとも維持するために利用できる情報を提供することができる。
【先行技術文献】
【特許文献】
【０００３】
【特許文献１】米国特許出願公開第２０１４／０２９３０４０号明細書
【発明の概要】
【発明が解決しようとする課題】
【０００４】
熱交換表面へのバイオ膜の堆積はまた、工業用水システムの非効率性を引き起こす可能性がある。例えば、鉱物堆積物と比較して、バイオ膜堆積物は、一般に、鉱物堆積物よりも４〜５倍優れた絶縁体である。一般に、バイオ膜は、粘液性であり、バイオ膜の形成を引き起こす微生物は、バイオ膜の含量のほんの一部にすぎない場合がある。
【課題を解決するための手段】
【０００５】
本発明は、工業用水システム内の堆積物を分析するために基材のデジタル撮像を使用することに関する。特定の実施形態では、本発明は、堆積物から生じる基材の熱伝達抵抗に相関させるために利用することができる、基材のデジタル撮像を使用して基材の熱伝達抵抗を決定する。
工業用水システム内の工業用水と接触する基材上の堆積物を分析する方法が提供される。方法は、基材が工業用水システム内の工業用水に接触している間に基材のデジタル画像を作成することを含む。基材のデジタル画像内の関心領域が定義される。基材のデジタル画像内の関心領域内の堆積物特徴が識別される。基材のデジタル画像内の関心領域内の堆積物特徴が分析される。
【０００６】
工業用水システム内の工業用水と接触する基材上の堆積物を分析する方法が提供される。特定の実施形態では、方法は、基材を工業用水システム内の工業用水に接触させる間に基材を加熱して基材上に堆積物を形成させることと、基材が工業用水システム内の工業用水に接触している間に基材の一連のデジタル画像が作成される。基材の一連のデジタル画像内の関心領域が、定義される。基材の一連のデジタル画像内の関心領域内の堆積物特徴が識別される。基材の一連のデジタル画像における関心領域内の堆積物特徴を分析して、工業用水システムにおける基材の堆積傾向を決定する。
【０００７】
工業用水システムにおける堆積物を監視するシステムが提供される。このシステムは、光アクセスを有する流体流路を備える。加熱された基材は、流体流路内に存在する工業用水に接触するように構成される。カメラは、流体流路内に位置するときに基材のデジタル画像を捕捉するように構成される。複数の温度センサは、加熱された基材を横切る温度勾配を測定するように構成される。
【図面の簡単な説明】
【０００８】
【図１】本明細書に記載された方法を実行するために利用され得るシステムの実施形態の概略図である。
【０００９】
【図２】本明細書に記載の方法を実行するために利用され得るシステムの一部の分解図である。
【００１０】
【図３】本明細書に記載された方法を実行するために利用され得るシステムの部分的に分解された概略図である。
【００１１】
【図４】マンガン−鉄堆積物からカルシウム堆積物を区別する画像の例を示す。
【００１２】
【図５】本明細書に記載された方法の対象となる基材のグラフィカルに追跡された熱伝達減少および低減された堆積画像データに対応する画像の例を示す。
【００１３】
【図６】本明細書に記載された方法の対象となる基材の経時的に収集された得られたビニングされた画像データの例を示す。
【００１４】
【図７】工業的水のｐＨを低下させることによって堆積除去物の除去が観察される、本明細書に記載の方法の対象となる基材のグラフィカルに追跡された熱伝達減少および低減された堆積物画像データに対応する画像の例を示す。
【発明を実施するための形態】
【００１５】
本発明は、工業用水システム内の堆積物を分析するために基材のデジタル撮像を使用することに関する。特定の実施形態では、本発明は、堆積物から生じる基材の熱伝達抵抗に相関させるために利用することができる、基材のデジタル撮像を使用して基材の熱伝達抵抗を決定する。
【００１６】
工業用水システム内の工業用水と接触する基材上の堆積物を分析する方法が提供される。方法は、基材が工業用水システム内の工業用水に接触している間に基材のデジタル画像を作成することを含む。基材のデジタル画像内の関心領域が定義される。基材のデジタル画像内の関心領域内の堆積物特徴が識別される。基材のデジタル画像内の関心領域内の堆積物特徴が分析される。
【００１７】
工業用水システム内の工業用水と接触する基材上の堆積物を分析する方法が提供される。特定の実施形態では、方法は、基材を工業用水システム内の工業用水に接触させる間に基材を加熱して基材上に堆積物を形成させることと、基材が工業用水システム内の工業用水に接触している間に基材の一連のデジタル画像が作成される。基材の一連のデジタル画像内の関心領域が、定義される。基材の一連のデジタル画像内の関心領域内の堆積物特徴が識別される。基材の一連のデジタル画像における関心領域内の堆積物特徴を分析して、工業用水システムにおける基材の堆積傾向を決定する。
【００１８】
工業用水システムにおける工業用水と接触する基材上の堆積物を分析するためのシステムおよび方法が提供される。特定の実施形態では、本方法は、工業用水システム内の工業用水に接触する基材上の堆積物を定量する方法である。用語「分析する（ａｎａｌｙｚｉｎｇ）」、「定義する（ｄｅｆｉｎｉｎｇ）」、「合成する（ｓｙｎｔｈｅｓｉｚｉｎｇ）」、および「定量する（ｑｕａｎｔｉｆｙｉｎｇ）」、ならびに関連する用語（例えば活用形）は、本明細書では方法の態様を記載するために使用され、「分析する（ａｎａｌｙｚｉｎｇ）」は、全て分析のサブセットである「定量する（ｑｕａｎｔｉｆｙｉｎｇ）」、「定義する」および「合成する」を含む。用語「基材（ｓｕｂｓｔｒａｔｅ）」、「クーポン（ｃｏｕｐｏｎ）」および類似の用語は、「またはその一部」を含むと解釈されるべきである。
【００１９】
工業用水システムにおける堆積物を監視するシステムが提供される。このシステムは、光アクセスを有する流体流路を備える。加熱された基材は、流体流路内に存在する工業用水に接触するように構成される。カメラは、流体流路内に位置するときに基材のデジタル画像を捕捉するように構成される。複数の温度センサは、加熱された基材を横切る温度勾配を測定するように構成される。
【００２０】
工業用水システムにおける堆積物を監視するためのシステムの例示的な実施形態が、図１および図２に示されている。システムは、とりわけ、流体が出入りするための流路１０１を有するプローブ本体１００を備える。加熱要素１０３は、低い熱伝導率を有する支持体媒体上に装着される。加熱要素１０３は、カートリッジ、セラミック、マイカ、または任意の様々な加熱装置とすることができる。基材１０５は、流路１０１を介して流れ、基材１０５の表面に接触する液体（例えば、工業用水）とともに、一方の側部で加熱要素１０３と直接接触している。基材１０５は、別個の部品であってもよいし、例えば、流路１０１を形成する装置の「組み込み」部分であってもよい。システムの特定の実施形態では、基材は、好適な金属、合金、またはセラミック材料で構成される。基材は、ユーザ指定の表面仕上げおよび／または粗さを有するように構成することができる。
【００２１】
加熱要素１０３および基材１０５は、例えば低熱伝導性支持体１０４を用いて装着することができる。好ましくは、支持体１０４は、基材１０５の表面（すなわち、表面１０５ａ）が流路１０１と同一平面になるように、プローブ本体１００内に挿入される。図示した実施形態では、リング１１４にＯリングを装備して、支持体１０４とプローブ本体１００との間にシールを形成し、流路１０１内の流体を抑制することができる。
【００２２】
本明細書に記載のシステムの特定の実施形態では、システムの一部分は、システムの残りの部分から取り外し可能に構成されている。例えば、カメラおよび／または光源（複数可）および／または複数の温度センサは、システムの残りの部分から１つ以上のユニットとして除去可能であってもよい。
【００２３】
図示された実施形態では、温度プローブ１０６、１０７、１０８、および１０９が支持体ブロック上に装着され、異なる場所で温度を測定する。図示された実施形態は４つの温度プローブを含むが、より少ない（例えば２または３個）またはそれ以上（例えば、５、６、７、．．．、ｎ個）を利用することができる。図示されているように、温度プローブ１０６は、加熱要素１０３の穴を介して基材１０５と直接接触する。温度プローブ１０７は、加熱要素１０３の裏面と直接接触し、温度プローブ１０８および１０９は、支持体１０４を介して熱流束を測定するために支持体１０４の異なる場所に装着される。加熱要素１０３の接続リード線１１０は、電源に接続するために支持体１０４を介して出る。
【００２４】
引き続き図１および図２を参照すると、流路１０１は、プレート１０２をプローブ本体１００に装着することによって作製される。プレート１０５が基材１０２の表面１０５ａを見るために光アクセス１０２ａを提供するように、プレート１０２は、ガラス、石英、サファイア、アクリルなどの透明な窓を備えた透明なアクリル材料または修正された装着部品から製作することができる。加熱要素１０３および基材１０５は、例えば、１３１  ４７ｔｈ  ｓｔｒｅｅｔ，Ｂｒｏｏｋｌｙｎ，ＮＹ．にあるＣｏｔｒｏｎｉｃｓ  Ｃｏｒｐ．によって供給されるＤＵＲＡＬＣＯ  １２８または１３２エポキシのような高熱伝導性エポキシを使用して組み立てることができる。次いで、ＤＵＲＡＬＣＯ  ４５２５または４５３８エポキシを使用して、ヒータ−基材アセンブリを支持体１０４にエポキシ化することができる。次いで、ヒータ−基材−支持体アセンブリ（すなわち、アセンブリ１０）は、例えば、保持ナット１１５を介してプローブ本体１００内に装着することができる。図示されているように、保持ナット１１５は、加熱要素１０３の温度プローブ１０６、１０７、１０８、１０９および接続リード１１０がノッチ１１５ａを通過できるように切り欠かれている。液密シールは、保持ナット１１５を締め付けて、Ｏリング１１４をプローブ本体１００および支持体１０４に対して圧縮することによって行われる。
【００２５】
場合によっては、自動化された現場洗浄プロセスをプレート１０２に適用することができる。一般に、基材表面からの堆積物は、酸性条件下で除去することができる。酸性条件は、基材表面に接触する工業用水に酸を注入することによって生成することができる。しかしながら、前述のアプローチは、自動弁、送達システム（ポンプなど）、および酸性供給を現場で必要とする複雑さを増す傾向がある。より便利なアプローチは、金属基材と対向電極との間に電位を印加することによる電気化学的清浄を利用する。洗浄のために、金属基材は、アノードであり、対電極カソードは、システムに統合される。対向電極は、例えば金属（例えば、ステンレス鋼）、グラファイト、または導電性ガラス（例えば、インジウムスズ酸化物またはフッ素ドープ酸化スズ）で構成することができる。導電性ガラスを使用することにより、電気化学的洗浄のための対向電極と同様に基材表面を見るための光アクセスのための窓としての二重の機能性が提供される。利用する場合、導電性ガラスは、例えば、反射防止物質でコーティングすることができる。
【００２６】
図３は、インターフェース２０４を介して、例えば工業用水システムの導管２００に取り付けるように構成された、図１および図２に概略された構成要素からなるアセンブリ１０を示す。図示された実施形態では、流体が流路１０１を通過することを可能にするように、アセンブリ１０が配向されるように、境界面２０４にキーが付けられる。インターフェース２０４は、標準的な配管に接続し、同じ断面積を維持しながら、円形から正方形の幾何形状への移行およびその逆の移行を提供する。アセンブリ１０は、ナット２０５を介してインターフェース２０４に取り付けることができる。Ｏリング（図示せず）を使用して、アセンブリ１０とインターフェース２０４との間にシールを提供することができる。
【００２７】
インターフェース２０４の一方の側部では、窓２０６は、基材１０５の表面１０５ａを介してプレート１０２への光アクセス１０２ａを提供し、動作中に流路１０１内の基材１０５の表面１０５ａを見る能力を提供する。
【００２８】
図示されているように、撮像システム２０は、レンズ１１２と任意の照明源１１３を有するカメラ１１１を備える。２つの照明源１１３が示されているが、より少なく（例えば、図３に示される１つの照明源１１３を用いて、０または１）またはより多く（例えば、３、４、．．．、ｎ個）が、撮像システム２０で利用されてもよい。図示された方法で撮像システム２０を位置決めすることにより、動作中（例えば、流路１０１を介して流れる流体に曝露されている間）の基材１０５の表面１０５ａを撮像することが可能となる。
【００２９】
複数の照明源１１３を使用して、異なる方向から照明して、基材またはその表面上の所望の特徴を強調し、または全体の照明プロファイルを改善することができる。例えば、表面に垂直に近い位置に位置決めされた照明源で基材の表面を照明することで、明視野照明を提供することができる。この場合、撮像装置は直接反射光の大部分を捕捉する。表面法線に対して大きな入射角（複数可）を有する１つ以上の照明源を配置することにより、表面上のスクラッチ、ピットおよび／または堆積形態などの顕著な特徴を高めることができる。さらに、光は指向性または拡散性であり得る。拡散照明は、より均一な照明を提供し、反射面を照明するときに鏡面反射成分を減衰させる。光は、発光ダイオード（「ＬＥＤ」）、白熱電球、タングステンハロゲン電球、光ファイバを介して輸送される光、またはこれらの任意の組み合わせ、または照明を提供する他の標準的手段の１つ以上から供給され得る。
【００３０】
ＬＥＤ光源の例は、Ｃｒｅｅ，Ｉｎｃ，４６００  Ｓｉｌｉｃｏｎ  Ｄｒｉｖｅ  Ｄｕｒｈａｍ，Ｎｏｒｔｈ  Ｃａｒｏｌｉｎａ  ２７７０３からのＣＲＥＥＸＰＥ２−７５０−１として入手可能であり、それは、特定の実施形態では、Ｃａｒｃｌｏ  Ｏｐｔｉｃｓ，６−７  Ｆａｒａｄａｙ  Ｒｏａｄ，Ｒａｂａｎｓ  Ｌａｎｅ  Ｉｎｄｕｓｔｒｉａｌ  Ａｒｅａ，Ａｙｌｅｓｂｕｒｙ  ＨＰ１９  ８ＲＹ，Ｅｎｇｌａｎｄ，Ｕ．Ｋ．から入手可能なＣａｒｃｌｏレンズモデル１０１３８が装備されている。
【００３１】
照明源１１３は、角度および高さ調整を可能にするように装着されてもよい。発光波長スペクトルは、特定の特徴を強調するために白色光領域または特定の波長帯域を網羅することができる。例えば、クーポン表面上の色を強調するために特定の波長を使用することができ、または表面から色情報を抽出するために白黒カメラとともに使用することができる。本明細書に提示される特定の実施形態では、基材は、約３９０ｎｍ〜約７００ｎｍの波長帯域を有する光で照らされる。
【００３２】
画像取得制御は、ＰＣ、マイクロプロセッサ、外部コントローラ、および／またはカメラ内の組み込みプロセッサによって行うことができる。市販のデジタルカメラは、一般に、３０フレーム／秒（「ｆｐｓ」）以上の画像取得速度が標準的である。堆積物は、一般にはるかに長い時間スケール（例えば数１０分〜数週間）で一般的に生じるので、画像取得制御が好ましい方法であり、即ち、例えば、固定、変化、および／または事象駆動され得る周波数で単一画像またはＮ個の画像の平均を取得する。このようなデータの収集は、データ格納をより効率的に利用する。例えば、１日に１回または１週間に１回の画像取得率は、堆積物の特徴の大きな変化のみに関心がある場合には、特定の工業用水システムには十分であり得る。しかしながら、工業用水システムが、混乱、例えばｐＨの低下を経験する場合、まれな画像取得で堆積物特徴の活動を見落とすことがある。この場合、混乱時にデジタル画像の作成の頻度の増加をトリガすることにより、より繊細な時間分解能で画像データを収集することが可能になる。ケーブル接続および／またはアンテナによって、撮像システムの構成要素に電力および／または通信を提供することができる。
【００３３】
追加の照明制御は、（レンズ１０９に取り付けられた）光源（複数可）および／または撮像装置１０６を介してフィルタおよび／または偏光子を利用して提供することができる。例えば、線形偏光子を追加することにより、例えば透明な窓またはパイプから反射する可能性がある光源線に由来する画像からの反射またはホットスポット（例えば、高光度グレア）を除去することができる。付加的にまたは代替的に、色フィルタ（例えば、バンドパス、ノッチ、ショートパス、および／またはロングパス）を使用して、特定の画像の詳細を強調したり、背景光効果を除去したりすることができる。フィルタリングは、カメラ、光源、またはその両方に適用できる。例えば、表面上の赤い特徴は、６００ｎｍを超える、例えば６００〜１１００ｎｍ、より好ましくは６００〜７００ｎｍ、さらにより好ましくは６３０ｎｍのバンドパスまたはロングパスフィルタを有する光源を使用して強調することができる。この場合、赤い光は、基材の赤い表面から、同様のフィルタを装備することができる撮像検出装置に反射する。これは、フィルタの波長透過範囲内の表面からの反射光のみが検出器に到達することを可能にし、結果として赤い特徴強調をもたらす。
【００３４】
図３に示すように、撮像装置２０は、マウント２２０をさらに備えることができる。マウント２２０は移動不能でも移動可能でもよい。図示のように、マウント２２０は、撮像装置２０の集束能力を提供するように移動可能である。図３に示すように、マウント２２０および照明源１１３は、ベース２２５に装着される。撮像装置２０は、カバー２１０を介して取り囲むことができる。撮像システムの電力供給された構成要素は、例えば、配線２４０を介して電力および通信ポートに接続することができる。自動焦点カメラは移動可能マウントを使用する必要性を取り除くことができるが、自動焦点カメラは移動不能または移動可能マウントを使用することができる。
【００３５】
カメラ１１１は、ＣＭＯＳ、ＣＣＤ、シリコンＰＤＡ、または空間光強度情報を提供する任意のアレイ形式の検出器とすることができる。ＣＭＯＳ技術またはＣＣＤ技術を使用する市販のカメラは容易に利用可能であり、レンズ（例えば、レンズ１１２）と結合されたときに画像データを提供する。カメラ１１１は、画像取得および処理のためにコンピュータと統合化することができ、またはカメラ１１１に専用のプロセッサが存在する埋め込み処理を利用することができる。一連のデジタル画像の作成は、例えば、スケジュールされた設定時間（例えば、１時間に１回）または事象に基づいて（例えば、ｐＨが制御範囲外で検出されたとき）トリガされてもよい。
【００３６】
デジタル画像またはその一連のデジタル画像は、基材上の堆積物の存在または不存在の証拠を提供する（例えば、基材１０５の表面１０５ａ上の堆積物９９）。デジタル画像またはその一連のデジタル画像は、例えば、色および／または形態に基づく堆積物の種類、堆積物形成の早期始まり、表面上の被覆パーセント、および焦点深度に基づく推定厚さについてさらなる洞察を提供することができる。
【００３７】
本明細書で提供される方法の一態様は、基材を加熱することによって基材上に堆積物の形成を加速させる。堆積物の加速形成は、重要な熱伝達機器、例えば熱交換器、凝縮器、冷却塔などにおける堆積物の形成を防止するための行動をとるために利用できる情報をユーザに提供することができる。
【００３８】
加熱要素１０３に電力を印加することにより、基材１０５と流路１０１内に位置する流体との間に局部的な温度差が作成され、基材領域は流路１０１を介して流れる流体よりも高い温度を有する。逆溶解特性（例えば、カルシウム塩、より具体的には炭酸カルシウム、硫酸カルシウム、リン酸カルシウムなど）を有する塩を含む用途では、基材１０５の表面１０５ａでの沈殿が起こり、堆積物９９の形成をもたらす。堆積物９９が基材１０５の表面１０５ａ上に形成されると、基材１０５からの対流熱除去を減少させる熱伝導率、すなわち堆積物９９の絶縁特性が低下するため、基材１０５の温度が上昇する。温度勾配は、複数の温度プローブ（例えば、温度プローブ１０６、１０７、１０８、１０９）を使用して測定することができる。複数の温度プローブは、熱電対、抵抗温度検出器（「ＲＴＤ」）、光ファイバ温度プローブ、赤外線温度プローブ、または任意の好適な温度測定装置のような任意の好適な種類の温度プローブの１つ以上であってもよい。基材１０５の温度を測定し、流路１０１内またはその近傍の流体温度および流れ条件を知ることにより、堆積物９９による熱伝達抵抗（「ＨＴＲ」）を、数学的変換を使用して決定することができる。
【００３９】
例えば、基材上の堆積物の熱伝達抵抗を測定するために、熱流分析が次式で開始して適用される、
【数１】
2019526787.tif 000003
式中、Ｑｅｌｅｃｔｒｉｃは、ヒータへの入力電圧とヒータ抵抗から決定されたヒータ電力であり、Ｑｏｕｔ  ｗａｔｅｒは、基材上の水流れ流に除去される熱であり、Ｑｌｏｓｓは、ヒータ支持構造を介して失われる熱である。解析を簡略化するために、基本的な概念を説明するために、１次元の熱流が仮定され、すなわち、半径方向の流れおよび側部を介する損失は、無視できる（Ｑｌｏｓｓ＝０）と仮定する。でフーリエの法則を用いて、式（１）のＱｏｕｔ  ｗａｔｅｒは、全ＨＴＲを次式で与える、
【数２】
2019526787.tif 000004
式中、ＨＴＲｔｏｔａｌは、全体の熱伝達係数の逆数であり、基材、ヒータ、マウント、対流、堆積物などの特定の材料の全ての熱伝達抵抗の総量である。Ａは、加熱表面の面積であり、ΔΤは、基材を横切って流れるヒータとバルク流体との間の温度差である。清浄な基材の場合、ＨＴＲｄｅｐｏｓｉｔ＝０であり、ＨＴＲｔｏｔａｌは、次式によって与えられる、
【数３】
2019526787.tif 000005
固定されたＨＴＲ値（ヒータ、基材、およびマウント）を決定するために、対流項は、一般式を有するヌッセルト数（Ｎｕ）から次式のように計算され、
【数４】
2019526787.tif 000006
式中、Ｃ、ｍ、ｎは実験的に決定された定数、ｌは、長さ、ｋは、流体の熱伝導率、ｈは、対流熱伝達、Ｒｅは、レイノルズ数、Ｐｒは、Ｐｒａｎｄｔｌ数である。ヌッセルト数の相関関係は、様々な形状およびレイノルズ数の範囲について文献で見出すことができる。流体の物理的性質と流動状態を知ると、ＨＴＲｃｏｎｖｅｃｔｉｏｎ（１／ｈ）は、式（４）から計算される。清浄な基材の固定された熱伝達抵抗は、次式により与えられる、
【数５】
2019526787.tif 000007
したがって、時間ｔにおける熱伝達抵抗の変化は、
【数６】
2019526787.tif 000008
堆積物の熱伝達抵抗は、清浄な基材と堆積物を有する基材とについて同一の状態を測定することによって決定される。
【数７】
2019526787.tif 000009
【００４０】
表面に形成された堆積物を除去するためにその場での洗浄（例えば、電気化学、化学、空気、超音波、機械的など）と結合させると、デジタル画像またはその一連のデジタル画像は、堆積物の除去状態に関するフィードバック、例えば、堆積物が完全に除去されているかまたはまだ存在しているかどうかを提供することができ、それは、その場での洗浄プロセスの停止をトリガするために使用することができる。画像データが、基材上にまだ堆積物が存在することを示している場合、所望のレベルの清浄度に達するまで清浄作業を続けることができる。
【００４１】
デジタル画像またはその一連のデジタル画像はまた、堆積物の色および／または形態に基づいて堆積物の種類についての洞察を提供することができる。水の化学および処理に関する知識に加えて、デジタル画像またはその一連のデジタル画像に関連するデータを使用することにより、堆積物組成物の識別を可能にすることができる。例えば、白色の結晶質の堆積物は、堆積物がカルシウム塩である可能性が高い良好な指標であるが、暗い褐色の堆積物は、高いマンガンおよび／または鉄含有量を示す可能性がある。一般に、バイオ膜は、微生物学的堆積物の粘液性の性質のために異なる反射特性を有する。この観察された変化を、例えば、低酸化還元電位測定値と組み合わせることにより、微生物学的堆積物は一般に複数の成分、例えば鉱物、シルトおよび微生物学的成分を含むので、堆積物が少なくとも部分的に微生物起源であるという信憑性を提供する。
【００４２】
したがって、本方法およびシステムの特定の実施形態では、複数の方法および／またはシステムを利用して、堆積物の種類の区別を可能にする。例えば、異なる加熱された基材温度で動作する複数のシステムを実装して、複数の堆積物の形成を分析することができる。比較的低い温度範囲（例えば、約３０℃〜約５０℃）では、バイオ膜成長の条件を提供する傾向があり、比較的高い温度範囲（例えば、約７０℃〜約１２０℃）は、鉱物スケールの水ポテンシャルを試験する。
【００４３】
なお、基材画像データの収集および解析方法は、図示の構成に限定されず、または熱伝達抵抗測定装置に限られない。例えば、堆積物撮像は、水晶マイクロバランス（ＱＣＭ、例えば、米国特許第８，９４５，３７１号に記載されているような「ＱＣＭ」）、弾性表面波センサ、エバネッセント波を測定するための光学プローブ、堆積物の厚さの超音波センサ、圧力降下の測定のためのチューブセンサ、カートリッジ加熱管、またはこれらの装置の任意の組み合わせで行うことができる。堆積物の測定は、光アクセスが基材の表面に提供される限り、本明細書に記載された方法を介して行われてもよく、または光アクセスを提供するようにシステムが変更されてもよい。堆積物の形成を検出するための現場での撮像を実装することにより、耐堆積物性、耐表面清浄性、色および形態に基づく堆積物の種類に関する情報、堆積物の量に関する定性的評価、および堆積物形成の早期の始まりのための補足的な測定を提供する。特定の実施形態では、基材は、別個の加熱要素を必要とせずに加熱することができる。
【００４４】
特定の実施形態では、基材は、クーポンである。特定の実施形態において、基材は、導管の一部分である。特定の実施形態では、基材は、工業用水システムの構成材料を代表するものである。特定の実施形態では、基材は、特定の実施形態において、鋼、鉄、アルミニウム、銅、真鍮、ニッケル、チタンおよび関連する合金から選択される金属で構成される。特定の実施形態において、鋼は、軟鋼、ステンレス鋼、および炭素鋼のうちの１つである。特定の実施形態では、金属は、パッシベーション可能であり、他の実施形態では金属は、パッシベーション不能である。
【００４５】
基材は、図に示すように、工業用水システムの工業用水と、流路１０１を介して接触する。工業用水システムの例としては、これらに限定されないが、加熱水システム（例えば、ボイラーシステム）、冷却水システム（例えば、冷却塔を備えるシステム）、水輸送用のパイプライン（例えば、採掘作業への輸送であるような、海水輸送）などが含まれる。工業用水とは、工業用水システムに使用される、または使用されるであろう任意の水性物質である。一般に、工業用水システムは、関心の工業用水システムでの使用により適した水にするために何らかの方法で処理することができる工業用水を含む。例えば、加熱水システム（例えば、ボイラーシステム）に使用される工業用水は、脱気されてもよい。加熱水システムに使用される工業用水は、例えば、堆積防止剤、腐食防止剤、スケール防止剤、および／または微生物制御剤などでさらに処理することができる。様々な工業用水システムに対して、他の処理を施してもよい。特定の実施形態において、工業用水システムの工業用水は、堆積防止剤で処理される。特定の実施形態では、工業用水システムは、冷却水システムである。特定の実施形態では、工業用水システムは、ボイラーシステムであり得る加熱水システムである。特定の実施形態では、加熱水システムの工業用水は、脱気されている。
【００４６】
好適な堆積防止剤の例としては、これらに限定されないが、好適な防汚剤、抗カチオン剤および／または殺生物剤が挙げられる。
【００４７】
堆積防止剤は、約０．１ｐｐｍまたは約１ｐｐｍ〜約５００ｐｐｍまたは約２００ｐｐｍを含む、重量で約０．０１ｐｐｍ〜約１０００ｐｐｍの濃度で工業用水中に存在することができる。
【００４８】
工業用水には、これらに限定されないが、腐食防止剤、緩衝剤、他の処理化学薬品およびそれらの組み合わせのうちの１つ以上を含む他の物質が存在してもよい。
【００４９】
特定の実施形態では、工業用水システムのパラメータが測定される。パラメータには、これらに限定されないが、温度、圧力、ｐＨ、伝導率、酸化還元電位、直線偏極抵抗、それらの誘導体、およびそれらの組み合わせが含まれる。
【００５０】
基材は、工業用水システム内位置する基材のデジタル画像の作成を可能にするために十分に照らされる。好ましい実施形態では、基材は、発光ダイオード、より好ましくは複数の発光ダイオードであり得る１つ以上の照明源を使用して十分に照明される。
【００５１】
本明細書で提供される方法では、基材のデジタル画像またはその一連のデジタル画像が作成される。特定の好ましい実施形態では、基材が工業用水システムに位置する間に、基材のデジタル画像またはその一連のデジタル画像が作成される。好ましくはないが、基材が工業用水システムに位置していない間に、基材のデジタル画像またはその一連のデジタル画像を作成することができる。好ましい実施形態では、工業用水システム内に位置する基材は、一般に、工業用水と接触している。
【００５２】
利用される場合、一連のデジタル画像は、２つ以上のデジタル画像であってもよい。特定の実施形態では、一連のデジタル画像は、デジタル画像の、したがって加熱された基材の表面の傾向分析を行うのに十分な量のデジタル画像を含む。好ましい実施形態では、一連のデジタル画像は、基材の堆積傾向分析を行うのに十分な量である。特定の実施形態では、一連のデジタル画像は一定の時間間隔で作成され、すなわち、一定量の時間が経過した後に各画像が撮影される。特定の実施形態では、一連のデジタル画像は、工業用水システムのパラメータが制御限界内にある場合、一定の時間間隔で作成されるが、一連のデジタル画像は、工業用水システムのパラメータが制御限界内にない場合、一定の時間間隔より短い時間間隔で作成される。言い換えれば、プロセスが制御されているとき、１つのデジタル画像がｔ−長さの時間当たりで１つのデジタル画像の速度で作成されるが、プロセスが制御されていないとき、ｔ−長さの時間当たりで１つのデジタル画像よりも速い速度で１つのデジタル画像が作成される。
【００５３】
特定の実施形態では、基材のデジタル画像またはその一連のデジタル画像を分析して、工業用水システムにおける基材の堆積傾物向を決定する。特定の実施形態では、解析することは、基材のデジタル画像またはその一連のデジタル画像における関心領域を定義することと、デジタル画像またはその一連のデジタル画像から関心領域の傾向データを合成することと、を含む。いくつかの実施形態では、分析することは、サイズ、色プロファイル、堆積物によって被覆される面積の割合、堆積物の全体の平均表面積、熱伝達抵抗（またはその増加）、関連情報（例えば、熱伝達係数、熱伝達係数の変化など）、およびそれらの組み合わせを合成して、堆積傾向（例えば、堆積速度）を計算することを含む。堆積物動向およびデータの数学的変換の例については、本明細書でさらに論じる。
【００５４】
特定の実施形態では、本方法は、基材のデジタル画像またはその一連のデジタル画像における関心領域を定義することを含む。関心領域は、基材の表面またはその一部を含むことができる。特定の実施形態では、関心領域は、基材の表面またはその一部である。
【００５５】
特定の実施形態では、関心領域上に堆積物が発展し、したがって、特定の実施形態では、関心領域は、堆積物特徴を含む。特定の実施形態では、この方法は、関心領域における堆積物特徴を識別することを含む。特定の実施形態では、堆積物特徴の表面積が計算され、それは、工業用水システムにおける基材の堆積傾向を決定するために分析することができる。分析は、複数の温度プローブを使用して決定することができる熱伝達抵抗（「ＨＴＲ」）の決定をさらに含むことができる。分析は、ｐＨ、導電率、酸化還元電位、直線偏極抵抗、電気化学的腐食監視、それらの派生項目、およびそれらの組み合わせから選択される工業用水システム内の工業用水のパラメータを測定することをさらに含むことができる。この分析は、工業用水システムにおける堆積物の形成を最小化または防止するように措置をとるために利用することができる。
【００５６】
特定の実施形態では、基材のデジタル画像またはその一連のデジタル画像の関心領域内の、任意選択で、例えば、熱伝達抵抗および／または本明細書に列挙されたパラメータのうちの任意の、１つ、の組み合わせ、または全てを含む堆積物特徴の分析に基づいて、措置がとられる。一般的に、とられる措置は、工業用水システムにおける堆積物の影響を防止または軽減するための１つ以上の措置である。これらに限定されないが、堆積防止剤の投与を増加すること、異なる堆積防止剤を選択すること、堆積防止剤を修正すること、工業用水システムの物理的特性を変更すること、工業用水システムをシャットダウンすること、およびそれらの組み合わせを含む任意の１つ以上の措置をとることができる。
【００５７】
特定の実施形態では、複数のデジタル画像またはその一連（複数）を作成するために、複数の撮像装置が利用される。複数のシステムは、例えば、ＰＣ、マイクロプロセッサ、ゲートウェイ、またはそのような装置の組み合わせとすることができるコントローラに直接インターフェースするように構成され、取得制御のための電子通信を確立し、ならびに画像データを格納および／または送信することができる。データは、有線接続および／または無線プロトコル（例えば、Ｗｉ−Ｆｉ、Ｚｉｇｂｅｅ、ＬｏＲａ、スレッド、ＢＬＥ  ＯｎＲａｍｐ、ＲＰＭＡ、ＥＥＥ８０２．１１ネットワークファミリ、ＩＥＥＥ８０２．１５．４、Ｂｌｕｅｔｏｏｔｈ（登録商標）、ＨｉｐｅｒＬＡＮ、ＬｏＲａなどのうちの１つ以上）を介して送信され得る。システムに電力を供給することは、ケーブル、バッテリ、太陽光、または他のエネルギー収集手段、例えば振動を介して行うことができる。無線プロトコルとセルフパワード方式を組み合わせることで、複数の場所に便利に設置することができる。コントローラによって収集された画像データは、高度な画像解析アルゴリズムを使用して、格納、処理され、キートレンド変数に処理され、削減されて、データのリモートサーバへの送信、または制御装置、例えば、分散制御システム（「ＤＣＳ」、例えば、Ｎａｌｃｏ  Ｗａｔｅｒ，ａｎ  Ｅｃｏｌａｂ  ｃｏｍｐａｎｙ，１６０１  Ｗｅｓｔ  Ｄｉｅｈｌ  Ｒｏａｄ，Ｎａｐｅｒｖｉｌｌｅ，Ｉｌｌｉｎｏｉｓ  ６０５６３から入手可能なＮａｌｃｏ  ３Ｄ技術）、研究室情報管理システム（例えば、「ＬＩＭＳ」ソフトウエア／ハードウエアパッケージ）および／またはクラウドコンピューティングシステムなどの制御システムと通信する。
【００５８】
デジタル画像の作成は、単に基材のスナップショットを撮ることによって取得することができ、一連のデジタル画像のデジタル画像は、時間の経過とともに２つ以上の基材のスナップショットを撮ることによって取得することができる。特定の実施形態では、一連のデジタル画像のデジタル画像が平均化され、改善された信号対ノイズ比を提供することができ、これは、例えば、工業用水システム内の工業用水のパラメータを測定することによって収集されたデータを処理するのに同期した時間経過ビデオを作成するために使用され得る。本方法は、データを数学的に変換することによってデジタル画像またはその一連のデジタル画像から収集されたデータを分析（例えば、合成）することをさらに含むことができ、特定の実施形態では検出された堆積物に関するさらなる洞察を提供することができる。
【００５９】
異なる時間に基材画像を捕捉する能力は、この場合には堆積物のために基材表面上で生じる変化を監視する手段を提供する。さらに、画像データを格納する能力は、現在の画像データを、例えば、同じ工業用水システム内に同様に載置された基材、異なる工業用水システム内に同様に載置された基材、統計的な基質の集団の分析などの全ての種類の異なる基材の過去の観測と比較する能力を提供する。例えば、基材の一連のデジタル画像を５、１０、１５．．．日ごとに作成し、工業用水システム内の同じ位置に位置する１つ以上の基材について同じ増分期間で収集された履歴デジタル画像データに対して分析することができる。データ間の観察された差異は、処理プログラムおよび／または水質によるプロセスの変化を示すことができる。
【００６０】
デジタル画像処理アルゴリズムを利用することで、デジタル画像の定量評価が可能となり、基材の堆積物、それは、したがって工業用水システムの堆積物の定量的評価を提供する。デジタル画像またはその一連のデジタル画像から収集されたデータを使用して、基材表面積の変化に対する特徴（またはその複数）に関連する全体的な傾向を展開することができる。
【００６１】
本明細書で提供される方法およびシステムは、特定の実施形態では、基材上に形成された堆積物の種類の特徴付けを可能にするマルチスペクトル撮像を可能にするように変更されてもよい。本明細書で提供される方法およびシステムの特定の実施形態では、基材の照明は、ＲＧＢＷ（赤、緑、青、白）発光ダイオードなどの狭帯域波長光源を使用して行われる。異なる波長帯域での基材の照明は、堆積物の種類を分類する洞察を提供する異なる色の領域を強調することができる。一般に、光源はＲＧＢに限定されるが、狭帯域フィルタを有する広帯域光源の組み合わせを利用して、特定のより狭い波長帯域を選択することができる。代替的に、１１５５  Ｒａｎｃｈｏ  Ｂｅｒｎａｒｄｏ  Ｒｄ．，Ｓａｎ  Ｄｉｅｇｏ，ＣａｌｉｆｏｒｎｉａのＳｕｒｆａｃｅ  Ｏｐｔｉｃｓ  Ｃｏｒｐｏｒａｔｉｏｎから入手可能なマルチスペクトル撮像装置を、システム内のカメラとして、またはマルチスペクトル撮像を介してデジタル画像またはその一連のデジタル画像を作成するために利用してもよい。一般に、マルチスペクトル撮像装置は、各々の画素について約４００ｎｍ〜約１０００ｎｍの波長範囲にわたって連続スペクトル情報を提供することができる。マルチスペクトル撮像を利用する実施形態では、マルチスペクトル撮像装置のスペクトル範囲は、鉱物堆積物（および鉱物堆積物の可能な種類）対微生物学的堆積物などの堆積物の種類の識別を可能にする。
【００６２】
本明細書に記載の方法およびシステムの特定の実施形態では、基材は、撮像装置を備えた水晶マイクロバランス（「ＱＣＭ」）検出器である。ＱＣＭ検出器を利用する実施形態では、上述し、図１および図２に示す基材は、例えば５ＭＨｚで動作するＱＣＭ装置である。ＱＣＭ結晶対電極は、流体にさらされた曝露された電極を加熱するための加熱装置として動作することができる。電極表面を加熱することにより、カルシウムおよび炭酸塩が工業用水流中に存在すると仮定して、電極表面に接触する工業用水流からの炭酸カルシウム堆積が誘発される。堆積物が表面上に形成されるので、ＱＣＭ検出器の共振周波数は、Ｓａｕｅｒｂｒｅｙ方程式に従う質量負荷のために減少する。一般に、質量測定が行われると、ＱＣＭ検出器の加熱は停止される。ＱＣＭ検出器は、堆積物の組成に関する情報を直接的には提供せず、堆積物の質量のみを提供する。
【００６３】
スケールが軟質（例えば、本質的に微生物学的）であるか、硬質（例えば、炭酸カルシウム（例えば、炭酸カルシウム））であるかを決定するために、散逸を使用する技術が、市販されている、例えば、Ｂｉｏｌｉｎ  Ｓｃｉｅｎｔｉｆｉｃ  ＵＳＡ，２１５  Ｃｏｌｌｅｇｅ  Ｒｏａｄ，Ｐａｒａｍｕｓ，Ｎｅｗ  Ｊｅｒｓｅｙの一部であるＱＳｅｎｓｅからのＱＣＭ−Ｄなどである。図１〜３に示すような撮像システムを図１〜３に示すような構成のＱＣＭ検出器に結合することにより、画像データから表面上に形成されたスケールの種類の洞察を取得することができる。
【００６４】
この点を示す一例を、図４に示す。左から右への上部の一連の画像（時間の増加）は炭酸カルシウムの堆積物を示し、一方、下部の一連の画像は、オフライン分析から決定された表面上の褐色のマンガンおよび／または鉄の堆積物を示す。いずれの場合も、ＱＣＭセンサは、経時的に質量増加を測定した。しかしながら、撮像システムからのフィードバックがなければ、堆積物の性質に関する情報は失われる。堆積物に関する追加的な洞察は、処理プログラムの化学および投与量の最適化および有効性の検証に役立つ。
【００６５】
工業用水システム内の工業用水の水ストレスは、例えば、異なる表面温度で加熱された基材を操作すること、ならびに加熱された基材表面の近くで局所的にｐＨを電気化学的に変化させることによって、堆積物の形成の可能性ならびに堆積物の種類を試験することができる。さらに、ｐＨ、伝導率、酸化還元電位、処理化学物質消費量、アルカリ度、金属イオン濃度、リン酸塩、硫酸塩およびシリカ濃度などの別の分析による水の化学に関する情報を、モデリングソフトウェアパッケージ、例えば、本明細書に記載の方法およびシステムからの入力を付加的に含むことができるＦｒｅｎｃｈ  Ｃｒｅｅｋ  Ｓｏｆｔｗａｒｅに入力することができる。例えば、加熱された基材の温度を徐々に調節して、加熱された基材上の堆積物の形成を駆動することにより、飽和水準または工業用水中の鉱物塩の堆積物沈殿ポテンシャルに関する情報を提供することができる。付加的に、プローブシステムのマトリックスは、例えば、基材温度および／または局所的ｐＨ調整などの異なる動作条件、ならびに異なる基材表面仕上げまたは冶金などに設定された各々のプローブを用いて、工業用水の単一の流れと接触させて、使用することができる。
【００６６】
本明細書に記載の方法およびシステムの特定の実施形態では、加熱された基材はガラス結合マイカブロックを含む。本明細書に記載の方法およびシステムの特定の実施形態では、加熱された基材は、ポリエーテルイミド樹脂（例えば、ＳＡＢＩＣから入手可能なＵＬＴＥＭ樹脂）を含む。
【００６７】
本明細書に記載される方法およびシステムの特定の実施形態では、加熱された基材またはその一部は、感温性塗料でコーティングされる。利用するとき、感温塗料は、加熱された基材の表面温度の測定においてさらなる精度を提供することができる。一般に作業者が熱交換器に見られる条件に近い条件に到達しようとするので、加熱された基材の表面温度は、水システムスケール電位を測定するための重要なパラメータとなり得る。温度に敏感な塗料は、例えば、７６１０  ＭｃＥｗｅｎ  Ｒｏａｄ，Ｄａｙｔｏｎ，ＯｈｉｏのＩｎｎｏｖａｔｉｖｅ  Ｓｃｉｅｎｔｉｆｉｃ  Ｓｏｌｕｔｉｏｎｓ、Ｉｎｃ．によって供給されるＵｎｉＴｅｍｐ感温塗料として入手可能である。特定の実施形態では、工業用水と接触する加熱された基材の表面は、感温塗料で完全に被覆され、他の実施形態では、工業用水と接触する加熱された基材の表面の１つ以上の部分が被覆される。一般に、堆積物が表面上および感温塗料で被覆された表面の部分上に形成されると、感温塗料への励起源浸透の減少により、感温塗料の発光強度が低下する。さらに堆積物が形成されると、基材上に形成された堆積物が感温塗料中に存在する励起源を完全に遮断するので、発光は減少し、検出されにくくなる。
【実施例】
【００６８】
熱伝達と撮像を組み合わせたアプリケーションは、工業用水システム内の工業用水の実験例である、表１に示す初期組成から始まる再循環水システムを使用して実証されている。表１の水組成物は、全ての実施例で利用される。
【表１】
2019526787.tif 000010
【００６９】
実施例１：
この構成では、図１〜３に示されたシステムを有するマニホルドを介して再循環された水は、１インチのスケジュール４０ＮＰＴパイプに対して毎分１ガロンの流量を維持するために流速制御を使用して、流れループ内に装着した。堆積物形成を誘導するために、５０ｐｐｍの塩化カルシウムと１００ｐｐｍの重炭酸ナトリウムを異なる増分で添加することにより、水中の炭酸カルシウム濃度を調整した。測定をベンチマークするために、再循環ループ上に、Ｂｒｉｄｇｅｒ  Ｓｃｉｅｎｔｉｆｉｃ  ＩＮＣ．ＤＡＴＳ（Ｄｅｐｏｓｉｔ  Ａｃｃｕｍｕｌａｔｉｏｎ  Ｔｅｓｔ  Ｓｙｓｔｅｍ）を設置した。このプローブは、厚さ０．０１インチの３０２ステンレススチール基材に、ＴＨＯＲＬＡＢＳ、５６  Ｓｐａｒｔａ  Ａｖｅ，Ｎｅｗｔｏｎ，ＮＪからのモデルＨＴ１９Ｒ  ２３ｍｍ直径１９Ｗセラミックヒータを使用した。温度監視のために、Ｏｍｅｇａ  Ｅｎｇｉｎｅｅｒｉｎｇ  ＩＮＣ．，Ｏｎｅ  Ｏｍｅｇａ  Ｄｒｉｖｅ，Ｓｔａｍｆｏｒｄ，ＣｏｎｎｅｃｔｉｃｕｔからのＪ型熱電対、モデルＪＭＱＳＳ−０６２Ｇ−６を利用した。バルク水温を測定するために、追加のＲＴＤプローブを使用した。温度ログはパーソナルコンピュータに接続されたＵｎｉｔｅｄ  Ｅｌｅｃｔｒｏｎｉｃｓ  Ｉｎｄｕｓｔｒｉｅｓ，Ｉｎｃ．，２７  Ｒｅｎｍａｒ  Ａｖｅｎｕｅ，Ｗａｌｐｏｌｅ，ＭＡのＤＮＡ−ＰＰＣ８およびＤＮＡ−ＡＩ−２０７システムで行った。流量の監視および制御は、フィードバック流れ制御を装備したＤＡＴＳユニットによって提供された。水の伝導率、ｐＨ、および酸化還元電位は、Ｎａｌｃｏ／ＥＣＯＬＡＢ  ３Ｄ  ＴＲＡＳＡＲコントロールを使用して連続的にモニターされ、プローブは循環水を供給および受け入れた保持タンクに挿入された。
【００７０】
実験の結果は、図５〜７に示す熱伝達抵抗、選択された画像データおよび処理された画像データにおける測定された変化を示す。図５は、ＨＴＲの変化が、加熱された基材上に堆積物が形成されるにつれて５時間後に増加する値によって明らかであることを示している。ＨＴＲ測定と同時に、一連のデジタル画像は、加熱された基材の表面上への堆積物の形成を示す。選択されたサンプル画像が、図５に異なる時点で示されている。画像データは、ＴＨＥ  ＩＭＡＧＩＮＧ  ＳＯＵＲＣＥ  ＬＬＣ，６９２６  Ｓｈａｎｎｏｎ  Ｗｉｌｌｏｗ  Ｒｄ，Ｃｈａｒｌｏｔｔｅ，ＮＣからのモデルＴＢＬ−８−Ｃの８ｍｍレンズを有する、ＴＨＥ  ＩＭＡＧＩＮＧ  ＳＯＵＲＣＥからのモデルＤＦＫ  ＥＣＵ０１０−Ｍ１２カメラの、カメラを使用してＰＣ上に収集される。照明は、Ｃｒｅｅ  ＸＬａｍｐ  ＸＰ−Ｅ２  ＬＥＤ（Ｃｒｅｅ  ＩＮＣ．，４６００  Ｓｉｌｉｃｏｎ  Ｄｒｉｖｅ，Ｄｕｒｈａｍ，Ｎｏｒｔｈ  Ｃａｒｏｌｉｎａ）およびＣａｒｌｃｏ  １０１４０レンズ（Ｃａｒｌｃｏ  Ｏｐｔｉｃｓ，６００  Ｄｅｐｏｔ  Ｓｔｒｅｅｔ，Ｌａｔｒｏｂｅ，ＰＡ）で制御した。サンプル画像は、堆積物が存在する前（約２時間）、堆積物が形成され始めた直後（約７時間）、および加熱された基材表面上の堆積物形成の程度を示す延長期間（約２０時間）後の状態を示す。
【００７１】
一連のデジタル画像は、統合画像として図５に傾向としてプロットされる２Ｄ画像データ（水平１２８０×垂直７２０画素）を単一の点に減少させるように処理される。画像処理ステップは、垂直方向に沿って画素強度値を最初にビニング（すなわち合計）して、０〜１２８０ピクセルの水平強度線プロファイルを生成するステップを含む。異なる時間に収集された、結果として得られたビニングされた撮像データを示す例を図６に示す。図６にも示されているのは、基材の縁部を表す垂直破線である。流れの方向は、図６の矢印で示した左から右への方向である。ビニングされたラインプロファイルは、図５に示す画像データで観察されるように、基材の左側の加熱されていないセクションであるため、全ての処理された画像に対して最初は平坦である。破線の間のビニングされたラインプロファイルは、基材面積を表し、基材上で生じる変化は、ラインプロファイルの強度値で観察される。堆積物が基材表面上に形成されるにつれて、ビニングされたラインプロファイルは、経時的に増加する。ラインプロファイルの最大の変化は、これが基材の最も暖かい領域であるため、最初に堆積物が形成される領域であるため、右端に観察される。右側の基材領域の外側では、ビニングされたラインプロファイルは、水流の下流に堆積物を形成するため、左側部よりも感度が高い。
【００７２】
図６に示す破線の間のラインプロファイルを積分することにより、曲線は単一点に縮小される。異なる時間増分で予め形成されると、次に積分値を傾向としてプロットすることができる。この点の値は、基材表面の反射率および／または色の変化を表す。図５は、積分された画像データと測定された熱伝達抵抗とを比較することによってこの点を示している。堆積物が基材表面上に形成されるにつれて、ＨＴＲも増加し、積分された画像データが増加し、対応する増加を示す。図５に示す傾向の結果は、オフセットすなわち堆積物領域なしに補正され、データをゼロから１に再スケーリングするために最大積分値に正規化される。この例では、積分された画像データは、２倍のノイズレベルの検出限界を使用することに基づくＨＴＲ測定よりも約２時間早く堆積物の存在を検出する。この場合、ＨＴＲノイズは、流れ制御システムからの流れの変化に起因する。対流のために、流速の小さな変化がＨＴＲ計算に伝播する。ＨＴＲ測定とは異なり、画像測定は、流体流速および／または温度とは無関係である。
【００７３】
実施例２：
図７に示される第２の例では、プロットの開始時に、基材表面上に堆積物が存在する。堆積物は基材表面上に形成し続け、ＨＴＲは約３：１２の時間で平坦となり、続いて酸を流れ流に導入した後に堆積物が除去されるため８：００前後に急激に減少する。ｐＨは、８．５から２未満に変化した。積分された画像データは同様の傾向を示すが、酸注入に至る構造が異なる。両方の場合において、堆積物が基材表面から除去された後、ＨＴＲおよび積分された画像は、プロットの開始時の値よりも低いベースライン値に戻る。
【００７４】
本明細書に引用される出版物、特許出願、および特許を含む全ての参考文献は、各参考文献が参照により組み込まれるように個別に、具体的に指示され、その全体が明記されているのと同程度まで参照により本明細書によって組み込まれる。
【００７５】
本発明を説明する文脈において（特に、以下の特許請求の範囲の文脈において）、用語「ａ」、「ａｎ」、「ｔｈｅ」、「少なくとも１つの」、および同様の指示対象の使用は、本明細書において別段の指示がない限り、または文脈によって明確に否定されない限り、単数形および複数形の両方を網羅するように解釈される。特に、本明細書では「一連（ｓｅｒｉｅｓ）」という単語が見られ、本明細書中に別段の指示がない限り、または文脈と明らかに矛盾しない限り、単数形および複数形の両方を網羅すると解釈されるべきである。１つ以上の品目の一覧に後続する用語「少なくとも１つ」（例えば、「ＡおよびＢのうちの少なくとも１つ」）の使用は、本明細書において別段の指示がない限り、または文脈によって明確に否定されない限り、記載された品目から選択される１つの品目（ＡまたはＢ）、または記載された品目のうちの２つ以上の任意の組み合わせ（ＡおよびＢ）を意味するように解釈される。「備える（ｃｏｍｐｒｉｓｉｎｇ）」、「有する（ｈａｖｉｎｇ）」、「含む（ｉｎｃｌｕｄｉｎｇ）」、および「含む（ｃｏｎｔａｉｎｉｎｇ）」という用語は、別途断りのない限り、非限定的用語である（すなわち、「〜を含むがそれに限定されない」ことを意味する）ものとして解釈されるべきである。本明細書における数値範囲の列挙は、本明細書において別途指示のない限り、その範囲内に入る各個別の値に対して個々に言及する簡易的方法として働くことを単に意図するものであり、各個別の値は、それを本明細書において個別に列挙したかのように本明細書に組み込まれる。本明細書において説明される全ての方法は、本明細書において別段の指示がない限り、または文脈によって明確に否定されない限り、任意の適切な順序で行われ得る。本明細書において提供されるいかなる、および全ての例、または例示的言語（例えば、「等」）の使用は、本発明をより良く説明することのみを目的とし、他に主張されない限り、本発明の範囲を限定しない。本明細書におけるどの用語も、本発明の実践に不可欠なものとして、任意の特許請求されていない要素を示すものとして解釈されるべきではない。
【００７６】
本発明の好ましい実施形態が本明細書には記載されており、これには本発明者らが知る本発明を実行するための最良の形態が含まれる。前述の記載を読むことで、当業者には、これらの好ましい実施形態の変化形態が明らかとなるであろう。本発明者らは、当業者がそのような変化形態を適切に採用することを期待し、本発明が、本明細書に具体的に記載されたものとは別様に実践されることを意図するものである。その結果、本発明は、適用法で許可される通り、本明細書に添付された特許請求の範囲に列挙された主題の全ての修正および同等物を含む。また、その全ての可能な変形における上述の要素の任意の組み合わせは、本明細書において別段の指示がない限り、または文脈によって明確に否定されない限り、本発明によって包含される。
【図１】
2019526787.tif 000011
【図２】
2019526787.tif 000012
【図３】
2019526787.tif 000013
【図４】
2019526787.tif 000014
【図５】
2019526787.tif 000015
【図６】
2019526787.tif 000016
【図７】
2019526787.tif 000017
【国際調査報告】
2019526787.tif 000018
2019526787.tif 000019